【手続補正書】
【提出日】平成17年12月8日(2005.12.8)
【手続補正１】
【補正対象書類名】明細書
【補正対象項目名】特許請求の範囲
【補正方法】変更
【補正の内容】
【特許請求の範囲】
【請求項１】商用電源と、商用電源からの電力により動作して交流の電力を発生するインバータと、該インバータが発生する交流の電力によって駆動される電動機とを具えた交流エレベータにおいて、
充電／放電が可能なバッテリーと、該バッテリーに充電と放電を行なわしめるための充電／放電回路と、該商用電源の全波整流電圧よりも高い一定の電圧に相当する値の電圧指令を目標値として該インバータへの入力電圧を制御する制御回路とを備え、該制御回路は該充電／放電回路による充電と放電の優劣を相対的に決定することにより、該電動機からの回生電力によって該バッテリーを充電すると共に、該バッテリーの発生電力を該インバータに供給することを特徴とする交流エレベータの電源装置。
【請求項２】バッテリーは、複数の単電池を１ユニットとして複数のユニットの組み合わせからなる請求項１に記載の交流エレベータの電源装置。
【請求項３】単電池は、ニッケル水素電池によって構成されている請求項２に記載の交流エレベータの電源装置。
【請求項４】充電／放電回路は、充電回路を閉路するための充電制御素子と、放電回路を閉路するための放電制御素子とを備え、制御回路によって、充電制御素子及び放電制御素子のオン／オフが制御される請求項１に記載の交流エレベータの電源装置。
【請求項５】制御回路は、充電制御素子と放電制御素子を交互にオンとして、バッテリーに充電と放電を交互に行なわしめる請求項４に記載の交流エレベータの電源装置。
【請求項６】制御回路は、充電制御素子のオン時間と放電制御素子のオン時間を相対的に変化させることによって、充電回路による充電と放電回路による放電の優劣を決定する請求項５に記載の交流エレベータの電源装置。
【請求項７】制御回路は、バッテリーの充電状態に応じて、充電と放電の優劣を決める請求項１又は請求項６に記載の交流エレベータの電源装置。
【請求項８】制御回路は、エレベータの運転状態に応じて、充電と放電の優劣を決める請求項１又は請求項６に記載の交流エレベータの電源装置。
【請求項９】制御回路は、バッテリーの充電量を適量に維持するための充電量制御手段を備えている請求項１乃至請求項８の何れかに記載の交流エレベータの電源装置。
【請求項１０】バッテリーの充電量の適量は、バッテリーの定格容量の６０％程度である請求項９に記載の交流エレベータの電源装置。
【請求項１１】バッテリーの充電量の適量は、電動機の定格電力の３０％程度の電力を供給し得る電力量である請求項９に記載の交流エレベータの電源装置。
【請求項１２】制御回路は、バッテリーの放電を規制するための放電規制手段と、バッテリーの充電を規制するための充電規制手段とを具えている請求項１乃至請求項１１の何れかに記載の交流エレベータの電源装置。
【請求項１３】制御回路の充電規制手段は、バッテリーの充電状態が定格容量の８０％程度を上回ったとき、該バッテリーへの充電を阻止することによって、過充電を防止する請求項１２に記載の交流エレベータの電源装置。
【請求項１４】制御回路の放電規制手段は、バッテリーの充電状態が定格容量の３０％程度を下回ったとき、該バッテリーからの放電を阻止することによって、過放電を防止する請求項１２に記載の交流エレベータの電源装置。
【請求項１５】制御回路の放電規制手段は、エレベータの運転が停止中の場合には、バッテリーからの放電を阻止する請求項１２に記載の交流エレベータの電源装置。
【請求項１６】制御回路の充電規制手段及び放電規制手段は、インバータの入力電圧とその電圧指令との偏差に対して制限を加えるリミッター回路によって構成される請求項１２に記載の交流エレベータの電源装置。
【請求項１７】バッテリーの充電状態が定格容量の８０％程度を上回ったとき、リミッター回路は、充電側のリミッター値がゼロに設定される請求項１６に記載の交流エレベータの電源装置。
【請求項１８】バッテリーの充電状態が定格容量の３０％程度を下回ったとき、リミッター回路は、放電側のリミッター値がゼロに設定される請求項１６に記載の交流エレベータの電源装置。
【請求項１９】エレベータの運転が停止中のとき、リミッター回路は、放電側のリミッター値がゼロに設定される請求項１６に記載の交流エレベータの電源装置。
【請求項２０】制御回路は、所定の条件下でバッテリーの放電を阻止するための放電阻止手段を備えている請求項１乃至請求項８の何れかに記載の交流エレベータの電源装置。
【請求項２１】制御回路は、所定の条件下でバッテリーの充電を阻止するための充電阻止手段を備えている請求項１乃至請求項８の何れかに記載の交流エレベータの電源装置。
【請求項２２】前記所定の条件として、一定の時間間隔、が設定されている請求項２０又は請求項２１に記載の交流エレベータの電源装置。
【請求項２３】前記所定の条件として、所定の期間、が設定されている請求項２０又は請求項２１に記載の交流エレベータの電源装置。
【請求項２４】前記所定の条件として、特定の曜日或いは特定の時間帯、が設定されている請求項２０又は請求項２１に記載の交流エレベータの電源装置。
【請求項２５】前記所定の条件として、エレベータの運転が停止中であること、が設定されている請求項２０又は請求項２１に記載の交流エレベータの電源装置。
【請求項２６】バッテリーは、複数の単電池を１ユニットとして複数のユニットの組み合わせからなり、前記所定の条件として、各単電池或いは各ユニットの充電量に閾値を越えるバラツキが生じたこと、が設定されている請求項２に記載の交流エレベータの電源装置。
【請求項２７】制御回路は、バッテリーの放電を阻止する放電素子手段を備え、各単電池或いは各ユニットの充電量に閾値を越えるバラツキが生じたとき、該放電阻止手段を動作させる請求項２に記載の交流エレベータの電源装置。
【請求項２８】制御回路は、バッテリーの充電放電を阻止する充電素子手段を備え、各単電池或いは各ユニットの充電量に閾値を越えるバラツキが生じたとき、該充電阻止手段を動作させる請求項２に記載の交流エレベータの電源装置。
【請求項２９】制御回路は、バッテリーの充電完了時に、バッテリーの容量を測定するための容量測定手段をプリセットする手段を具えている請求項２１に記載の交流エレベータの電源装置。
【請求項３０】制御回路は、バッテリーの放電完了時に、バッテリーの容量を測定するための容量測定手段をリセットする手段を備えている請求項２０に記載の交流エレベータの電源装置。
【請求項３１】制御回路は、所定の条件下で、バッテリーからの放電を一定電流制御に切り替える一方、バッテリーへの充電を一定電流制御に切り換える手段と、放電時のバッテリーの端子電圧と充電時のバッテリーの端子電圧とに基づいてバッテリーの内部抵抗を検出する手段とを備え、内部抵抗の変化からバッテリーの寿命判定を行なう請求項１乃至請求項８の何れかに記載の交流エレベータの電源装置。
【請求項３２】インバータの入力端と制御回路の間に介在する開閉制御可能な出力接点と、インバータの入力電圧とバッテリーの端子電圧とを比較する比較器と、該入力電圧が該端子電圧を上回ったときに前記出力接点を閉じる制御手段とを具えている請求項１乃至請求項８の何れかに記載の交流エレベータの電源装置。
【手続補正２】
【補正対象書類名】明細書
【補正対象項目名】００１１
【補正方法】変更
【補正の内容】
【００１１】
【課題を解決するための手段】
本発明は、商用電源と、商用電源からの電力により動作して交流の電力を発生するインバータと、該インバータが発生する交流の電力によって駆動される電動機とを具えた交流エレベータにおいて、
充電／放電が可能なバッテリーと、該バッテリーに充電と放電を行なわしめるための充電／放電回路と、該商用電源の全波整流電圧よりも高い一定の電圧に相当する値の電圧指令を目標値として該インバータへの入力電圧を制御する制御回路とを備え、該制御回路は該充電／放電回路による充電と放電の優劣を相対的に決定することにより、該電動機からの回生電力によって該バッテリーを充電すると共に、該バッテリーの発生電力を該インバータに供給する手段を備えるものである。